(57)【要約】      （修正有）【課題】シール部材の摺動抵抗とシール性能を両立させることによって、位置調整部材の挙動のばらつきを極力低減できるよう流路開閉装置を提供する。【解決手段】流路開閉装置であるフラッシュバルブは、位置調整部材の周囲に一部に切欠を有する略円形のシール部材９を配置し、シール部材９は径方向に収縮可能な弾性を有しており、その最小外径が背圧室内径より小さく、何も力が加わっていない状態の外径が前記背圧室内径より大きい。【選択図】図５
2014070394.tif 000002
【特許請求の範囲】
【請求項１】
給水を開始する指示を受けることで大便器に給水を開始し、所定の条件を満たすことで自律的に給水を停止する流路開閉装置であって、
給水元に繋がる一次側流路と給水先である大便器へ繋がる二次側流路との間の流路開閉を行う主弁体及び主弁座を有する主バルブと、
前記一次側流路から前記二次側流路へ流れる水の瞬間流量を一定に保つように相互間に形成される流路断面積を調整する定流量弁体及び定流量弁座を有する定流量バルブと、
前記主弁体及び前記定流量弁体が一体化されてなる弁体部材の可動量を調整するように、前記弁体部材の摺動方向に沿ってその少なくとも一部が移動する位置調整部材と、
前記位置調整部材にそれぞれ反対側から力を加えるように設けられた背圧室及び副背圧室と、を備え、
前記位置調整部材は、前記一次側流路の水圧を前記副背圧室から受けることで、前記一次側流路の水圧に応じて位置を調整するように構成され、前記一次側流路の水圧が高まると前記弁体部材の可動量を減少させる方向に移動するものであって、
前記位置調整部材の周囲に一部に切欠を有する略円形のシール部材を配置し、
前記シール部材は径の収縮方向に弾性変形可能であり、
前記シール部材は、その最小外径が前記背圧室内径より小さく、何も力が加わっていない状態の外径が前記背圧室内径より大きいことを特徴とする流路開閉装置。
【請求項２】
給水を開始する指示を受けることで大便器に給水を開始し、所定の条件を満たすことで自律的に給水を停止する流路開閉装置であって、
給水元に繋がる一次側流路と給水先である大便器へ繋がる二次側流路との間の流路開閉を行う主弁体及び主弁座を有する主バルブと、
前記一次側流路から前記二次側流路へ流れる水の瞬間流量を一定に保つように相互間に形成される流路断面積を調整する定流量弁体及び定流量弁座を有する定流量バルブと、
前記主弁体及び前記定流量弁体が一体化されてなる弁体部材の可動量を調整するように、前記弁体部材の摺動方向に沿ってその少なくとも一部が移動する位置調整部材と、
前記位置調整部材にそれぞれ反対側から力を加えるように設けられた背圧室及び副背圧室と、を備え、
前記位置調整部材は、前記一次側流路の水圧を前記副背圧室から受けることで、前記一次側流路の水圧に応じて位置を調整するように構成され、前記一次側流路の水圧が高まると前記弁体部材の可動量を減少させる方向に移動するものであって、
前記位置調整部材の周囲に一部に切欠を有する略円形のシール部材を配置し、
前記シール部材は径の収縮方向に弾性変形可能であり、、
前記シール部材は、その最小外径が前記背圧室内径より小さく、水圧が加わった状態で  前記背圧室内面と接触することを特徴とする流路開閉装置。
【請求項３】
前記シール部材の上面または下面が前記位置調整部材と接触していることを特徴とする請求項１又は２の何れか一項に記載の流路開閉装置
【請求項４】
前記シール部材が内径方向に弾性を有する凸部を有することを特徴とする請求項１〜３の何れか一項に記載の流路開閉装置
【請求項５】
前記凸部が前記シール部材の内周面に等間隔に複数設けられていることを特徴とする請求項３に記載の流路開閉装置。
【請求項６】
前記主弁体の周囲に一部に切欠を有する略円形の第二のシール部材を配置し、
前記第二のシール部材は径の収縮方向に弾性変形可能であり、
前記第二のシール部材は、その最小外径が前記背圧室の内径より小さく、何も力が加わっていない状態の外径が前記前記背圧室の内径より大きいことを特徴とする請求項１〜４の何れか一項に記載の流路開閉装置。
【請求項７】
前記第二のシール部材の上面または下面が前記主弁体と接触していることを特徴とする請求項５に記載の流路開閉装置
【請求項８】
前記第二のシール部材が内径方向に弾性を有する凸部を有することを特徴とする請求項５〜６の何れか一項に記載の流路開閉装置
【請求項９】
前記凸部が前記第二のシール部材の内周面に等間隔に複数設けられていることを特徴とする請求項７に記載の流路開閉装置。
【発明の詳細な説明】
【技術分野】
【０００１】
本発明は、給水を開始する指示を受けることで便器に給水を開始し、所定の条件を満たすことで自律的に給水を停止する流路開閉装置に関する。
【背景技術】
【０００２】
このような流路開閉装置として、いわゆるフラッシュバルブが知られている。このフラッシュバルブは、給水元である一次側流路から水を受け入れて一次側内部流路に送り出す流入口と、二次側内部流路から給水先である二次側流路へ水を送り出す流出口とが形成された本体部と、一次側内部流路と二次側内部流路との間の流路開閉を行う主バルブ（ダイヤフラム弁）と、主バルブを介さずに一次側内部流路と二次側内部流路とを連通するバイパス流路と、バイパス流路の流路開閉を行う副バルブ（リリーフ弁）と、を備えるものである（例えば、下記特許文献１参照）。
【０００３】
このように構成されたフラッシュバルブは、操作レバーを押し下げるといった副バルブを開く動作を行うと、バイパス流路が開かれて主バルブを構成する主弁体の背圧が低下し、一次側内部流路内の一次圧によって主弁体が主弁座から引き離されるように押し上げられて主バルブが開放され、流出口から水が二次側流路へと流出される。その後、操作レバーを戻すといった副バルブを閉じる動作を行うか、若しくは自動的に操作レバーが戻って副バルブが閉じられると、バイパス流路が閉じられて主弁体の背圧が上昇する。この主弁体の背圧の上昇に伴って主弁体が主弁座に近づくように降下し、やがて主弁体が主弁座に当接することで主バルブが閉じられる。従って、フラッシュバルブは、給水を開始する指示を受けることで便器に給水を開始し、所定の条件を満たすことで自律的に給水を停止する流路開閉装置として機能するものである。
【０００４】
従来のフラッシュバルブは、比較的簡単な構成で、ある程度定められた量の水を送り出す装置として極めて有用なものであり、小便器や大便器への水供給手段として広く用いられている。しかしながら、従来のフラッシュバルブはその構造上、厳密な水量制御が困難なものであり、日本工業規格においては標準吐水量が１５Ｌに対して、水圧が低ければ１１〜１６．５Ｌの吐水量を確保できれば可とされ、水圧が高ければ１３．５〜１９Ｌの吐水量を確保できれば可とされている。
【０００５】
このように従来のフラッシュバルブは水圧の変動によってその吐水量が異なるものであり、また、パブリック空間等では一般的に複数の便器が連立される形で設置されるため、複数の便器の使用状態によっては水圧変動がより大きく生じてしまうという問題があった。そのため、従来のフラッシュバルブ式の便器においては、水圧が低い場合や水圧変動が大きい場合でも汚物をきちんと排出できるように、水量が多くなる方向に設定を振って構成されている。そのため、特に水圧が高い場合や水圧変動が小さい環境下にあっては、余分な水を流さざるを得ないので、結果として無駄水が非常に多くなり節水面での対策が望まれていた。
【０００６】
そこで、フラッシュバルブにいわゆる定流量弁を組み込み、水圧が高い環境や一次側流路に水圧変動が起きても、二次側流路に送り出す水の流量を一定にすることで無駄水をなくし節水性能を高めることを意図した提案がなされている（下記特許文献２参照）。
【０００７】
上記特許文献２に記載の従来の技術は、定流量弁を組み込まないで動作可能なフラッシュバルブに、後付で定流量弁を組み込むものである。従来の通常のフラッシュバルブの各機能部材は、一次側流路の一次圧と二次側流路との二次圧との差圧が比較的大きいことを前提にしている。そのため、後付で定流量弁を組み込んだ場合、一次圧と二次圧との差圧が小さくなるため、確かにある程度流量を一定にする効果を期待できるものの、主バルブの開閉応答が鈍くなる可能性がある。特に、流路開閉装置を含む便器洗浄システム全体での節水を実現しようとすると、より確実な定流量制御が求められる。また、後付で定流量弁を組み込む場合には、当然ながら従来の通常のフラッシュバルブの構造体に、定流量弁を付加するものとなるため、装置全体として小型化が困難であるという課題もある。
【０００８】
このような課題に鑑み、給水の瞬間流量を一定にしつつ、給水を開始及び停止するための主バルブの開閉を機敏に行うことができ、小型化も図ることができる流路開閉装置を提供するものとして、下記特許文献３に記載の流路開閉装置が提供されている。
【０００９】
下記特許文献３に記載の流路開閉装置は、給水元である一次側流路から水を受け入れて一次側内部流路に送り出す流入口と、二次側内部流路から給水先である二次側流路へ水を送り出す流出口とが形成された本体部を備えている。更に、流路開閉装置は、一次側内部流路と二次側内部流路との間の流路開閉を行う主弁体及び主弁座を有する主バルブと、主バルブを介さずに一次側内部流路と二次側内部流路とを連通するバイパス流路と、バイパス流路の流路開閉を行う副バルブと、を備えている。また、流路開閉装置には、副バルブが開かれることで主弁体の背圧が低下し主バルブが開かれ、一次側内部流路から二次側内部流路へと水が流れた後に前記副バルブが閉じられると、前記主弁体の背圧が前記一次側内部流路内の一次圧と均衡するように上昇するまで主バルブを開放状態に維持し、主バルブが閉じられることを遅延させる遅延手段が設けられている。
【先行技術文献】
【特許文献】
【００１０】
【特許文献１】特開２００６―１７０３８２号公報
【特許文献２】特開２０００―２８２５３７号公報
【特許文献３】特開２０１１―２２６２４９号公報
【発明の概要】
【発明が解決しようとする課題】
【００１１】
上記特許文献３に記載の流路開閉装置は、主弁体と定流量弁体とが一体化された弁部材の可動量を調整するようにこの弁部材の摺動方向に沿って移動する位置調整部材と、位置調整部材が弁部材の可動量を狭める方向に移動すると反発力が強まるように構成されるバネと、を有するものである。バネは、位置制御部材が弁部材の可動量を狭める方向に移動すると反発力が強まるように構成されている。
【００１２】
上述した従来の流路開閉装置は、主弁体の背圧が低下することで主バルブが開かれるものであり、主弁体に対する差圧を利用して主弁体を駆動しているため、主弁体（弁部材）の周囲をシールする必要がある。また、弁部材の摺動方向に沿って移動する位置調整部材も、副背圧室から位置調整部材が受ける力と、背圧室から位置調整部材が受ける力との差を利用するものであるため、その周囲をシールする必要がある。
【００１３】
従って、位置調整部材の動きには、シールによる摺動抵抗も影響を及ぼすため、単に差圧のみでは測れないばらつきが発生する要因となりうる。しかし、摺動抵抗を嫌うあまりシールを疎にすると、背圧室と副背圧室の差圧が小さくなってしまい、位置調整部材に対して駆動力が働かずに定流量作用が機能しなくなったり、駆動力が働いたとしても十分な定流量作用が発揮できなくなったりしてしまう。
【００１４】
そこで本発明では、シール部材の摺動抵抗とシール性能を両立させることによって、位置調整部材の挙動のばらつきを極力低減できるよう流路開閉装置を提供することを目的とする。
【課題を解決するための手段】
【００１５】
上記課題を解決するために本発明に係る流路開閉装置は、給水を開始する指示を受けることで大便器に給水を開始し、所定の条件を満たすことで自律的に給水を停止する流路開閉装置であって、給水元に繋がる一次側流路と給水先である大便器へ繋がる二次側流路との間の流路開閉を行う主弁体及び主弁座を有する主バルブと、前記一次側流路から前記二次側流路へ流れる水の瞬間流量を一定に保つように相互間に形成される流路断面積を調整する定流量弁体及び定流量弁座を有する定流量バルブと、前記主弁体及び前記定流量弁体が一体化されてなる弁体部材の可動量を調整するように、前記弁体部材の摺動方向に沿ってその少なくとも一部が移動する位置調整部材と、前記位置調整部材にそれぞれ反対側から力を加えるように設けられた背圧室及び副背圧室と、を備え、前記位置調整部材は、前記一次側流路の水圧を前記副背圧室から受けることで、前記一次側流路の水圧に応じて位置を調整するように構成され、前記一次側流路の水圧が高まると前記弁体部材の可動量を減少させる方向に移動するものであって、前記位置調整部材の周囲に一部に切欠を有する略円形のシール部材を配置し、前記シール部材は径の収縮方向に弾性変形可能であり、前記シール部材は、その最小外径が前記背圧室内径より小さく、何も力が加わっていない状態の外径が前記背圧室内径より大きいことを特徴とする流路開閉装置である。
【００１６】
また、上記課題を解決するための別の本発明に係る流路開閉装置は、給水を開始する指示を受けることで大便器に給水を開始し、所定の条件を満たすことで自律的に給水を停止する流路開閉装置であって、給水元に繋がる一次側流路と給水先である大便器へ繋がる二次側流路との間の流路開閉を行う主弁体及び主弁座を有する主バルブと、前記一次側流路から前記二次側流路へ流れる水の瞬間流量を一定に保つように相互間に形成される流路断面積を調整する定流量弁体及び定流量弁座を有する定流量バルブと、前記主弁体及び前記定流量弁体が一体化されてなる弁体部材の可動量を調整するように、前記弁体部材の摺動方向に沿ってその少なくとも一部が移動する位置調整部材と、前記位置調整部材にそれぞれ反対側から力を加えるように設けられた背圧室及び副背圧室と、を備え、前記位置調整部材は、前記一次側流路の水圧を前記副背圧室から受けることで、前記一次側流路の水圧に応じて位置を調整するように構成され、前記一次側流路の水圧が高まると前記弁体部材の可動量を減少させる方向に移動するものであって、前記位置調整部材の周囲に一部に切欠を有する略円形のシール部材を配置し、前記シール部材は径の収縮方向に弾性変形可能であり、前記シール部材は、その最小外径が前記背圧室内径より小さく、水圧が加わった状態で前記背圧室内面と接触することを特徴とする流路開閉装置である。
【００１７】
本発明における位置調整部材は、縮径に反発するような弾性力を有するシール部材を配置することによって、この弾性力或いは洗浄開始時にシール部材にかかる水圧によってシール部材を背圧室と副背圧室を隔離する壁面に押し付ける構成となっている。つまり、少なくとも洗浄が開始されて位置調整部材が摺動する段階においてシール部材が壁面に押し付けられる構成となっている。。これによって、圧力差を生み出すために十分なシール性能を確保できると共に、摩擦を抑えてスムーズな摺動を行うことが可能となる。
シール部材に切り下記を設けることによって形状による弾性を利用することができるようになり、要求される寸法精度が緩和される。また、材料選択の自由度も向上し、摩擦係数の小さな材料を使用することができる。
また、シール材に切り欠きを設けることによって、流路開閉装置内部にゴミが混入した場合であっても、この切り欠き部分を通過させることが可能となり、シール部材と本体内壁との間にゴミを噛みこんでしまい、摺動抵抗が増大することを抑制することが可能となる。
【００１８】
また本発明に係る流路開閉装置では、前記主弁体の周囲に一部に切欠を有する略円形の第二のシール部材を配置し、前記第二のシール部材は径の収縮方向に弾性変形可能であり、前記第二のシール部材は、その最小外径が前記背圧室の内径より小さく、何も力が加わっていない状態の外径が前記前記背圧室の内径より大きいことが好ましい。
【００１９】
この好ましい態様では、位置調整部材の摺動に加えて、主弁体においても望ましいシール性能を確保しながら、スムーズな摺動を行うことが可能となる。このように構成することによって、主弁体がすばやく開閉することが可能となり、洗浄開始から終了までの間に要する時間のばらつきを低減し、流れる水量のばらつきを低減することが可能となる。
【００２０】
また本発明に係る流路開閉装置では、シール部材の上面または下面が位置調整部材または主弁体と接触していることが好ましい
【００２１】
この好ましい態様では、位置調整部材、主弁体とシール部材が接触することによって、各部材とシール部材の間に水が浸入してシール性能が低下することを抑制することが可能となり、より効率的に圧力差を生み出すことが可能となる。
【００２２】
また本発明に係る流路開閉装置では、シール部材が内径方向に弾性を有する凸部を有することが好ましい。
【００２３】
この好ましい態様では、シール部材の内径方向に設けられた凸部と、位置調整部材、主弁体とが接触することによってシール部材に拡径方向の力を発生させることが可能となる。材料自身の弾性を利用して拡径方向の力を発生させる場合と比較して、安定した力を発生させることが可能となり、位置調整部材、主弁体の動きを安定させることが可能となる。これらの動きが安定することにより、洗浄開始から終了までの間に流れる水量のばらつきを低減することが可能となる。
【００２４】
また本発明に係る流路開閉装置では、凸部がシール部材の内周面に等間隔に複数設けられていることが好ましい。
【００２５】
この好ましい様態では、シール部材に対して、拡径方向の力が均一に作用することになる。したがって、シール部材が歪に拡径してしまい、摺動抵抗が歪に発生することを抑制することが可能となる。
【発明の効果】
【００２６】
本発明によれば、弁部材が位置調整部材の挙動のばらつきを極力低減することが可能な流路開閉装置を提供することができる。
【図面の簡単な説明】
【００２７】
【図１】本発明の実施形態であるフラッシュバルブを大便器への給水管に取り付けた状態を示す外観図である。
【図２】本発明の実施形態であるフラッシュバルブの内部構造を模式的に示す概略構成図である。
【図３】図２に示すフラッシュバルブの定流量弁体を示す側面図である。
【図４】図２に示すフラッシュバルブの定流量弁体を示す斜視図である。
【図５】図２に示すフラッシュバルブのシール部材を示す斜視図である。
【図６】図２に示すフラッシュバルブにおいて、初期状態を示す図である。
【図７】図２に示すフラッシュバルブにおいて、主弁が開放された状態を示す図である。
【図８】図２に示すフラッシュバルブにおいて、主弁が閉じられた状態を示す図である。
【図９】図２に示すフラッシュバルブにおいて、リフィル水を供給するため主弁が再び開かれた状態を示す図である。
【図１０】図２に示すフラッシュバルブにおいて、リフィル水を供給するため開かれた主弁が閉じられた状態を示す図である。
【図１１】シール部材の第一の変形例を示す斜視図である。
【図１２】シール部材の第二の変形例を示す斜視図である。
【発明を実施するための形態】
【００２８】
以下、添付図面を参照しながら本発明の実施の形態について説明する。説明の理解を容易にするため、各図面において同一の構成要素に対しては可能な限り同一の符号を付して、重複する説明は省略する。
【００２９】
本発明の実施形態であるフラッシュバルブ（流路開閉装置）について図１に示す。図１は、本発明の実施形態であるフラッシュバルブを大便器への給水管に取り付けた状態を示す外観図である。図１に示されるように、フラッシュバルブＳＶ（流路開閉装置）は、大便器ＳＢへの給水管ＴＢの途中に取り付けられている。フラッシュバルブＳＶは、給水を開始する指示を受けることで、給水管ＴＢを経由する流路を開いて大便器ＳＢに給水を開始する。その後、フラッシュバルブＳＶは、所定の条件を満たすことで自律的に流路を閉じて給水を停止する。
【００３０】
大便器ＳＢは、封水部ＳＷが設けられている。封水部ＳＷには常時溜水がなされ、封水が形成されている。大便器ＳＢを使用すると、封水部ＳＷに汚物が投入される。大便器ＳＢの使用後にフラッシュバルブＳＶを操作すると、フラッシュバルブＳＶから略一定の瞬間流量で洗浄水が供給される。この洗浄水によって、封水部ＳＷの溜水及び汚物が流される。本実施形態の場合、大便器ＳＢはサイフォン方式の便器であるので、サイフォン現象によって洗浄水は汚物と共に下流側へ吸引される。本実施形態のフラッシュバルブＳＶは、洗浄後に封水部ＳＷにリフィル水を供給するように構成されている。
【００３１】
フラッシュバルブＳＶは、本体部１０と、電磁弁８２とを備えている。本体部１０内には、給水管ＴＢに繋がる一次側内部流路２０と、大便器ＳＢに繋がる二次側内部流路３０とが形成されている。本体部１０内には弁体部材４０が配置されている。弁体部材４０は、一次側内部流路２０と二次側内部流路３０との間の流路開閉を行うものである。電磁弁８２は、バイパス流路８０に設けられている。電磁弁８２を開くことで、弁体部材４０の背圧が下がり開弁される。本実施形態では、給水管ＴＢにおいて、フラッシュバルブＳＶよりも上流側には止水栓Ｖが、フラッシュバルブＳＶよりも下流側であって大便器ＳＢよりも上流側にはバキュームブレーカーＶＢが、それぞれ配置されている。
【００３２】
続いて、本発明の実施形態であるフラッシュバルブＳＶの内部構造について、図２を参照しながら説明する。図２は、フラッシュバルブＳＶの内部構造を模式的に示す概略構成図である。
【００３３】
図２に示されるように、フラッシュバルブＳＶは、本体部１０を備えている。本体部１０の内部には、一次側内部流路２０と、二次側内部流路３０と、背圧室１４と、副背圧室１２とが形成されている。一次側内部流路２０は、給水元である一次側流路（図１に示す給水管ＴＢのフラッシュバルブＳＶよりも上流側の流路）から流入水Ｗａを受け入れて、二次側内部流路３０に向けて流出させるものである。一次側内部流路２０の上流端には流入口２１が設けられている。流入口２１は、流入水Ｗａを受け入れて一次側内部流路２０に送り出す開口部である。
【００３４】
二次側内部流路３０は、一次側内部流路２０から流入する水を給水先である二次側流路（図１に示す給水管ＴＢのフラッシュバルブＳＶよりも下流側の流路）に流出水Ｗｂとして流出させるものである。二次側内部流路３０の下流端には流出口３１が設けられている。流出口３１は、二次側内部流路３０から二次側流路へ流出水Ｗｂを送り出す開口部である。
【００３５】
一次側内部流路２０と二次側内部流路３０との間には、弁体部材４０が配置されている。弁体部材４０は、下流側の一端が二次側内部流路３０に挿入されており、その反対側の他端が背圧室１４に臨むように配置されている。弁体部材４０は、二次側内部流路３０の下流方向に沿って進退自在に配置されている。弁体部材４０は、その上部に設けられた主弁体４２と、その下部に設けられた定流量弁体４４とからなり、両者が一体となって構成されている。
【００３６】
主弁体４２は、一次側内部流路２０と二次側内部流路３０との間の流路開閉を行うためのものである。主弁体４２は下流側の面において、主弁体面４２１を有している。弁体部材４０が最も下流側に押し込まれると、主弁体面４２１が一次側内部流路２０の二次側内部流路３０に対する境界面に当接し、一次側内部流路２０と二次側内部流路３０との間の水の流通を遮断するように構成されている。従って、主弁体面４２１が当接する境界面は、主弁座面２０１（主弁座）として機能している。
【００３７】
定流量弁体４４は、一次側内部流路２０から二次側内部流路３０へ流れる水の瞬間流量を調整するためのものである。定流量弁体４４は、その外側面４４１において、溝状に形成されたスリット４４２を有している。
【００３８】
この定流量弁体４４の構造を、図３及び図４を参照しながら詳しく説明する。図３は、定流量弁体４４の側面図であって、図４は定流量弁体４４の斜視図である。定流量弁体４４の外側面４４１には、均等な間隔で４つのスリット４４２が形成されている。各スリット４４２は、断面が矩形の有底な溝であり、外側面４４１の下端から中程まで形成されている。さらに、定流量弁体４４の外側面４４１には、ガイド部４８０が形成されている。ガイド部４８０は、上部４７０から下部４７１に至るように設けられている。
【００３９】
再び図２に戻って説明する。定流量弁体４４の外側面４４１は、二次側内部流路３０の内側壁と近接して対向している。従って、弁体部材４０が、一次側内部流路２０と二次側内部流路３０との間に水を通すように上昇（背圧室１４へ入り込む方向、後退方向、開弁方向）すると、水が二次側内部流路３０へと流入する。
【００４０】
主流路は、二次側内部流路３０の内側壁とスリット４４２により形成された空間を通過し、二次側内部流路３０へと流入する流路である。弁体部材４０が、一次側内部流路２０と二次側内部流路３０との間に水を通すように上昇（背圧室１４へ入り込む方向、後退方向、開弁方向）すると、一次側内部流路２０からスリット４４２に水が流入する。弁体部材４０が、一次側内部流路２０と二次側内部流路３０との間に水を通すように上昇（背圧室１４へ入り込む方向）し、その後下降（流出口３１へ向かう方向、前進方向、閉弁方向）すると、水はスリット４４２の上部に対して流入することとなる。その結果、水の流路断面積は狭くなり、流量を絞るように作用する。
【００４１】
主弁体４２には、その上部側において収容凹部４６が設けられている。収容凹部４６は、背圧室１４側から後退するように凹状に形成されている。収容凹部４６の背圧室１４側には、副弁座４６５が設けられている。収容凹部４６は、孔４６１と、凹部４６２と、副孔４６３（背圧流路）と、が形成されている。
【００４２】
孔４６１は、一次側内部流路２０と凹部４６２とを繋ぐ連通孔として形成されている。凹部４６２は、バネ５０と、副弁桿４８とを収容している。凹部４６２内には、副弁桿４８の先端の大径部４８１が配置されている。大径部４８１は、バネ５０と当接しており、バネ５０を介して弁体部材４０を流出口３１に向けて付勢している。
【００４３】
副弁桿４８は、棒状に延びる小径部４８３と、小径部４８３の先端に設けられている大径部４８１とを有している。小径部４８３は、副弁座４６５に設けられた連通路４６４（背圧流路）を貫通している。連通路４６４と小径部４８３との間には、通水可能な隙間が形成される。従って、孔４６１から凹部４６２に流入した水は、連通路４６４を通って背圧室１４へと流れる。また、孔４６１を通った水の一部は、副孔４６３を通って背圧室１４へと流れる。尚、連通路４６４が閉鎖されている場合は、孔４６１を通った全ての水が副孔４６３を通って背圧室１４へと流れる。
【００４４】
背圧室１４と副背圧室１２とは、第一位置調整部材６０によって仕切られて分離されている。このとき、第一位置調整部材６０の周囲には外周凹部６１が設けられ、この外周凹部６１にシール部材９を取り付けている。シール部材９は本体部１０の内壁に対して接触することで、背圧室１４と副背圧室１２とを分離している。また、シール部材９の下面９１が外周凹部６１の下面と接触することで、両者の間に水が浸入しないように略シールされた状態となっている。
図５に示すように、シール部材９はその一部を切り欠かれた略円形のリング状部材である。この形状によって、材料自身が弾性をもたない比較的硬質の樹脂材料を利用した場合でも、径方向に収縮可能な弾性を持たせることができる。何も力が加わっていない状態では、本体部摺動部内径よりも大きいが、径方向に力を加えることで図１に示すように背圧室１４、副背圧室１２よりも小さく収縮することが可能である。
シール部材９の内径方向には、凸部９１が等間隔に複数設けられている。この凸部９１は、シール部材９と同じ材質でできており、同じように弾性を有している。この凸部が第一調整部材６０と接触し、第一調整部材６０を押すことによって、シール部材９に第一調整部材６０の外径方向に拡径する力が作用し、本体部１０の内壁に対して接触することで、背圧室１４と副背圧室１２とを分離している。また、第一位置調整部材６０に上下方向に摺動させるような力が加わった場合第一位置調整部材６０はスムーズに摺動することができる。
【００４５】
さらに、第一位置調整部材６０には凹部６０１が設けられている。凹部６０１は、背圧室１４に向けてその外壁が突出する凹部として形成されている。凹部６０１の下端には、連通路６０２が形成されている。凹部６０１の背圧室１４側には、線形特性を有するバネ７０が配置されている。バネ７０は、一端が凹部６０１内に収容され、他端は第二位置調整部材６５に当接するように配置されている。
【００４６】
第二位置調整部材６５は、その一端側に円盤状に形成されたプレート部６５１と、シャフト部６５２と、保持部６５３とを有している。プレート部６５１の下面からシャフト部６５２の下端が露出しており、副弁桿４８の小径部４８３の一端と当接したり離隔したりするように配置されている。第二位置調整部材６５は、バネ７０の巻き線の中心を貫通するように配置され、本体部１０に固定されている。
【００４７】
本体部１０の最上部には、その中央において上方に突出した突出部１０１が形成されている。突出部１０１の中心には、その中心軸が鉛直方向である貫通穴１０２が形成され、この貫通穴１０２に対し、円筒形状の保持部材６５３が挿入された状態で螺合固定されている。保持部材６５３の先端にはプレート部６５１が取り付けられている。
【００４８】
第二位置調整部材６５は、棒状の部分であるシャフト部６５２を有しており、シャフト部６５２が、保持部材６５３を貫くように配置されている。
【００４９】
背圧室１４と、一次側内部流路２０及び二次側内部流路３０とは、弁体部材４０によって仕切られて分離されている。弁体部材４０には、第一位置調整部材６０と同じように、その外周面に存在する凹部４２にシール部材９（第二のシール部材）が取り付けられており、摺動しながら、両者を仕切るように構成されている。このとき、第一調整部材６０の場合と同じく、シール部材９の下面９２が、主弁体部材４０
【００５０】
突出部１０１には、その外側面から保持部材６５３に通じる貫通孔であって、その内周面に雌螺子が形成された固定孔１０７が形成されている。このため、使用者は第二位置調整部材６５の位置を上下方向に調整した後、固定孔１０７に図示しないイモ螺子を挿入することにより、それ以降において第二位置調整部材６５が本体部１０に対して回転してしまうことを防止することができる。
【００５１】
以上のように、第二位置調整部材６５はフラッシュバルブＳＶの本体部１０に対して外部から連通した状態で固定されている。また、第二位置調整部材６５の固定位置は、外部からレンチ等の工具を用いて調整することができる。
【００５２】
第一位置調整部材６０は、副背圧室１２と背圧室１４との圧力差によって押される力とバネ７０がそれに対抗しようとする力、及び第一調整部材６０と弁体部材４０とに設けられたシール部材９に掛かる摺動抵抗とのバランスによって、副背圧室１２を広げる（背圧室１４を狭める）ように摺動したり、副背圧室１２を狭める（背圧室１４を広げる）ように摺動したりするように構成されている。背圧室１４に入った水は、連通路６０２を通じてバイパス流路８０側へと流れる。
【００５３】
副背圧室１２には一次側内部流路２０にかかる一次圧と同じ圧力がかかるように構成されている。具体的には、一次側内部流路２０と副背圧室１２とが副一次流路２２によってつながれており、一次圧が副背圧室１２に伝達されている。
【００５４】
背圧室１４と二次側内部流路３０とは、バイパス流路８０によって繋がっている。バイパス流路８０には電磁弁８２が設けられている。電磁弁８２が閉じられていれば、背圧室１４の内部には一次圧がかかっている。一方、電磁弁８２が開けられると、背圧室１４の水がバイパス流路８０から二次側内部流路３０に流出し、背圧室１４の内部圧力が低下する。
【００５５】
続いて、図６，６，７，８，９を参照しながら、本実施形態のフラッシュバルブＳＶの動作について説明する。図６は、図２に示すフラッシュバルブにおいて、初期状態を示す図である。図７は、図２に示すフラッシュバルブにおいて、主弁が開放された状態を示す図である。図８は、図２に示すフラッシュバルブにおいて、主弁が閉じられた状態を示す図である。図９は、図２に示すフラッシュバルブにおいて、リフィル水を供給するため主弁が再び開かれた状態を示す図である。図１０は、図２に示すフラッシュバルブにおいて、リフィル水を供給するため開かれた主弁が閉じられた状態を示す図である。図６?９のそれぞれにおいて、（Ａ）はフラッシュバルブＳＶの動きを示し、（Ｂ）は対応する瞬間流量、弁体部材４０のリフト量、封水部ＳＷの封水深さを示す。
【００５６】
図６に示すように、初期状態（時刻ｔ１）では弁体部材４０のリフト量はゼロであり、瞬間流量もゼロである。封水深さは規定の深さを確保している。続いて、図７に示すように、電磁弁８２が開かれ、バイパス流路８０から背圧室１４の水が抜かれると、弁体部材４０は上昇し、副弁悍４８が第二位置調整部材６５に当接する。第一位置調整部材６０は、背圧室１４と副背圧室１２との圧力差によって、背圧室１４側に押し下げられている。従って、弁体部材４０は第一位置調整部材６０に当接するまで上昇する。
【００５７】
図７の状態で水を大便器ＳＢ側に流し続け、所定の時刻ｔ２が到来すると電磁弁８２を閉じる（図８参照）。その後ゆっくりと弁体部材４０が下降し、時刻ｔ３において主弁体４２が主弁座面２０１に当接する。時刻ｔ２から時刻ｔ３にかけては、リフィル水が大便器ＳＢに供給され、やや時間差があって封水部ＳＷの封水深さが上昇する（時刻ｔ４）。
【００５８】
時刻ｔ４においても、封水部ＳＷの封水深さは初期の封水深さまで確保されていないので、図９に示すように、時刻ｔ４から時刻ｔ５にかけて（第２時間）電磁弁８２を開く。この第２時間としての時刻ｔ４から時刻ｔ５までの時間は、第１時間である時刻ｔ１から時刻ｔ２までの時間よりも短いものである。
【００５９】
また、時刻ｔ４から時刻ｔ５までの時間は、弁体部材４０が完全には上昇せずに、弁体部材４０が第一位置調整部材６０にも第二位置調整部材６５にも当接しないような短い時間である。電磁弁８２が再び閉じられると、弁体部材４０は下降し、主弁体４２が主弁座面２０１に当接する。
【００６０】
このように本実施形態では、副バルブである電磁弁８２が開かれることで主弁体４２の背圧が低下し主バルブが開かれ、主バルブを通って一次側流路から二次側流路へと水が流れ、第１時間（時刻ｔ１から時刻ｔ２）経過後に電磁弁８２が閉じられることで主弁体４２の背圧が上昇し主バルブが閉じられる主洗浄動作を実行する（図６?図８参照）。更に、主洗浄動作の終了後、再び電磁弁８２が開かれることで主弁体４２の背圧が低下し主バルブが開かれ、主バルブを通って一次側流路から二次側流路へと水が流れ、第１時間よりも短い第２時間（時刻ｔ４から時刻ｔ５）経過後に電磁弁８２が閉じられることで主弁体４２の背圧が上昇し主バルブが閉じられるリフィル水供給動作を実行する（図９?図１０参照）。
【００６１】
本実施形態によれば、主洗浄動作の終了後、再び電磁弁８２を開くことで主バルブを開き二次側流路へと水を流すので、確実にリフィル水を供給することができる。また、リフィル水供給動作では、主洗浄動作の副バルブ開放時間である第１時間（時刻ｔ１から時刻ｔ２）よりも短い第２時間（時刻ｔ４から時刻ｔ５）副バルブを開くので、無駄水を発生させることなく適量のリフィル水を供給することができる。
【００６２】
また、リフィル水供給動作において、第２時間（時刻ｔ４から時刻ｔ５）は、主バルブが最大開度に達する前に電磁弁８２が閉じられるように設定されている。
【００６３】
このように、主バルブが最大開度に達する前に副バルブが閉じられるように第２時間（時刻ｔ４から時刻ｔ５）を設定するので、リフィル水供給動作によって供給する水に起因するサイフォン現象の発生を抑制することができる。
【００６４】
また、リフィル水供給動作において、第２時間（時刻ｔ４から時刻ｔ５）は、背圧室１４内の水が完全に二次側流路に流出する前に電磁弁８２が閉じられるように設定されている。
【００６５】
このように、背圧室１４の水が抜けきる前に電磁弁８２が閉じられるように第２時間（時刻ｔ４から時刻ｔ５）を設定するので、リフィル水供給動作によって供給する水量を確実に適量とすることができ、リフィル水供給動作によって供給する水に起因するサイフォン現象の発生を抑制することができる。
【００６６】
また、主洗浄動作の終了後、第一位置調整部材６０及び第二位置調整部材６５が初期位置に復帰した後、リフィル水供給動作が実行されるように調整することも好ましい。
【００６７】
この好ましい態様では、第一位置調整部材６０及び第二位置調整部材６５が初期位置（図６参照）に復帰した後にリフィル水供給動作が実行されるので、定流量手段が一体化された弁体部材４０の位置をリフィル水量に合わせた位置とすることができる。従って、供給するリフィル水量のばらつきを抑制し、無駄水の発生やリフィル水の不足を回避することができる。
【００６８】
また、リフィル水供給動作の実行有無を設定可能なように構成されていることも好ましい。
【００６９】
この好ましい態様では、サイフォン方式ではない便器に取り付ける場合に、リフィル水供給動作の実行を停止できるので、様々な方式の便器に対応した流路開閉装置とすることができる。
【００７０】
また、リフィル水供給動作において供給される水量は、便器本体である大便器ＳＢにおいてサイフォン現象が発生しない水量である。
【００７１】
リフィル水供給動作において供給される水量は、大便器ＳＢにおいてサイフォン現象が発生しない水量としているので、大便器ＳＢに対応した適切な水量のリフィル水を供給することができる。
【００７２】
また、主洗浄動作の終了後、大便器ＳＢ内の水の移動が完了した後、リフィル水供給動作が実行される（図９参照）。
【００７３】
主洗浄動作の終了後、大便器ＳＢ内の水の移動が完了するまでリフィル水供給動作を行わないので、大便器ＳＢにある程度水が溜まってからリフィル水が供給される。従って、リフィル水の供給による水勢を大便器ＳＢに溜まっている水で低減することができ、リフィル水供給段階におけるサイフォン現象の発生を抑制できる。
【００７４】
シール部材９の第一の変形例を図１１に示す。図１１に示すように、シール部材９はその一部が切りかかれたリング状部材であればよい。このときも、背圧室内径より小さくなるように収縮可能であると同時に、フラッシュバルブを組み立てた後か、水圧が掛かった状態において、拡径して背圧室内部に接触するように構成されている。このような構成とすることで、ごくシンプルな形状でありながら摺動性能とシール性能を両立させることが可能となる。
【００７５】
また、シール部材９の第二の変形例として、図１２に示したようなものも考えられる。この第二の変形例においては、凸部９１を二つ一組として構成している。このように構成することで、円の拡径方向以外に掛かる力、特に円の回転方向に掛かる力を相殺し合って、シール部材９に回転方向の力が掛かることを抑制することができる。このときも、背圧室内径より小さくなるように収縮可能であると同時に、フラッシュバルブを組み立てた後か、水圧が掛かった状態において、弾性によって背圧室内部に接触するように拡径するように構成されている。
【符号の説明】
【００７６】
ＳＶ：フラッシュバルブ（流路開閉装置）
ＳＢ：大便器
ＳＷ：封水部
ＴＢ：給水管
Ｖ：止水栓
１０：本体部
１０１：突出部
１０２：貫通穴
６５３：保持部材
１０７：固定孔
１２：副背圧室
１４：背圧室
２０：一次側内部流路
２０１：主弁座面（主弁座）
２１：流入口
２２：副一次流路
３０：二次側内部流路
３１：流出口
４０：弁体部材
４１：外周凹部
４２：主弁体
４２１：主弁体面
４４：定流量弁体
４６：収容凹部
４６１：孔
４６２：凹部
４６３：副孔（背圧流路）
４６４：連通路（背圧流路）
４６５：副弁座
４８：副弁桿
４８１：大径部
４８２：副弁体
４８３：小径部
５０：バネ
６０：第一位置調整部材
６１：外周凹部
６０１：凹部
６０２：連通路
６５：第二位置調整部材
６５１：プレート部
６５２：シャフト部
７０：バネ
８０：バイパス流路
８２：電磁弁
Ｗａ：流入水
Ｗｂ：流出水
【図１】
2014070394.tif 000003
【図２】
2014070394.tif 000004
【図３】
2014070394.tif 000005
【図４】
2014070394.tif 000006
【図５】
2014070394.tif 000007
【図６】
2014070394.tif 000008
【図７】
2014070394.tif 000009
【図８】
2014070394.tif 000010
【図９】
2014070394.tif 000011
【図１０】
2014070394.tif 000012
【図１１】
2014070394.tif 000013
【図１２】
2014070394.tif 000014